(57)【要約】【課題】  陳列対象物を傾斜させることなく収容可能として効率的な収容形態を維持することができ、下方より一個ずつ抜き出すことができる陳列装置を提供すること。【解決手段】  上部及び前方が開放するケース本体１１と、このケース本体内に設けられるとともに、ケース本体内に収容された陳列対象物Ｇを前方に押圧する押圧部材１３と、ケース本体の前部側に位置するガイド部材１５とを備えて陳列装置１０が構成されている。ガイド部材１５は、前面部４１とこれに連なる傾斜面部４２とを備え、押圧部材１３の押圧力と相互に作用して、最前部の陳列対象物Ｇ１を次に位置する陳列対象物Ｇ２に対して下方に変位させた状態に保って下方からの抜き出しを可能とする。【選択図】          図５
2006061570.tif 000002
【特許請求の範囲】
【請求項１】
陳列対象物を支持する底壁と、当該底壁の左右両側に位置する側壁とを備えて前記陳列対象物を起立姿勢で前後方向に整列させて収容するケース本体と、このケース本体内に設けられるとともに前記陳列対象物を前方に押圧する押圧部材とを含む陳列装置において、
前記ケース本体の前部側に、前記陳列対象物を下方より抜き出し可能とするガイド部材が設けられ、このガイド部材は、前記押圧部材による押圧力と相互に作用して最前部の陳列対象物を次の陳列対象物に対して相対的に下方に変位させる内面形状を備えていることを特徴とする陳列装置。
【請求項２】
前記ガイド部材は、前記ケース本体の底壁前端より前方に位置して陳列対象物の抜き出し空間を形成するとともに、最前部の陳列対象物の前面位置を規制するように略鉛直面内に位置する前面部と、この前面部の上端から上部後方に向けられて最前部の陳列対象物の下端位置を次の陳列対象物に対して下方に変位させる傾斜面部とを備えていることを特徴とする請求項１記載の陳列装置。
【請求項３】
前記前面部の下端は、前記底壁の上面位置と略等しいか、それより上方に位置することを特徴とする請求項２記載の陳列装置。
【請求項４】
前記ガイド部材の前後方向長さは、少なくとも最前部の陳列対象物の上部をカバーする長さに設けられていることを特徴とする請求項１，２又は３記載の陳列装置。
【発明の詳細な説明】
【技術分野】
【０００１】
本発明は、陳列装置に係り、例えば、タバコ等の商品を陳列対象物として効率的に収容できるとともに、容易に一個ずつ取り出すことができる陳列装置に関する。
【背景技術】
【０００２】
従来より、コンビニエンスストア、スーパーマーケット等の小売店においては、商品を前後方向に整列させた状態で、最前部に位置する商品を一個ずつ取り出すことのできる陳列装置が採用されている（例えば、特許文献１参照）。
【０００３】
前記特許文献１に開示された陳列装置は、商品を前後方向に整列させて収容するケース本体と、このケース本体内に配置されて商品を前方に押し出す押圧部材と、ケース本体の前方上部に配置された傾斜板とを備えて構成されている。この陳列装置においては、各商品が、その下部を上部よりも前方位置とする傾斜姿勢に保たれるとともに、最前部に位置する商品の下部領域がケース本体の底壁前端よりも前方に位置するようになっている。従って、消費者若しくは販売スタッフは、最前部の商品を下方に抜き出して取り出すことが可能となる。
【０００４】
【特許文献１】特開２０００−２８７７９２号公報
【発明の開示】
【発明が解決しようとする課題】
【０００５】
しかしながら、特許文献１に開示された陳列装置にあっては、前後方向に並ぶ商品が傾斜した姿勢に保たれる構成であり、起立姿勢で商品を並べた場合に比べて商品の収容個数を減らしてしまうという不都合がある。しかも、最前部の商品は、その前面が傾斜した状態で露出しているため、その前面に埃が堆積し易くなるという不都合もある。
【０００６】
また、特許文献１の陳列装置にあっては、最前部に位置する商品の前面と下部後面側に指をかけて商品を摘んで下方に抜き出すものであるが、前記下部後面側の指掛け領域が狭いものとなり、商品の摘み易さに劣る、という不都合がある。かかる不都合は、商品の傾斜角度を大きく設定することにより拡大可能であるが、極端な傾斜角度に設定した場合には、最前部の商品を一定の位置に保つことが困難になるばかりでなく、ケース本体への商品収容個数を更に減らしてしまうという不都合を招来する。
【０００７】
更に、最前部の商品が陳列装置の前端よりも突出した状態で陳列されるものであるため、店舗通路を歩行する消費者が商品に直接ぶつかり易くなり、その接触によって商品を不用意に落下させてしまう、という不都合もある。
【０００８】
なお、特許文献１の陳列装置は、最前部の商品の前部下端を支持する係止部を設けた例も示されているが、この例では、係止部が鋭角な状態で店舗内の通路側に突出することになり、危険回避という点において好ましくない。
【０００９】
［発明の目的］
本発明は、このような不都合に着目して案出されたものであり、その目的は、最前部に位置する陳列対象物を、これの次に位置する陳列対象物に対して下方に変位させる状態を常に維持することで、最前部の陳列対象物を下方に抜き出す操作を容易に行うことのできる陳列装置を提供することにある。
【００１０】
本発明の他の目的は、陳列対象物を傾斜させることなく収容可能として効率的な収容形態を維持することができ、しかも、最前部の陳列対象物に埃が堆積することもない陳列装置を提供することにある。
【００１１】
本発明の更に他の目的は、最前部の陳列対象物が陳列装置の前端よりも前方に露出することがなく、店舗内の通路を歩行する消費者等が不用意にぶつかっても陳列対象物を落下させることのない陳列装置を提供することにある。
【課題を解決するための手段】
【００１２】
前記目的を達成するため、本発明は、陳列対象物を支持する底壁と、当該底壁の左右両側に位置する側壁とを備えて前記陳列対象物を起立姿勢で前後方向に整列させて収容するケース本体と、このケース本体内に設けられるとともに前記陳列対象物を前方に押圧する押圧部材とを含む陳列装置において、
前記ケース本体の前部側に、前記陳列対象物を下方より抜き出し可能とするガイド部材が設けられ、このガイド部材は、前記押圧部材による押圧力と相互に作用して最前部の陳列対象物を次の陳列対象物に対して相対的に下方に変位させる内面形状を備える、という構成を採っている。
【００１３】
本発明において、前記ガイド部材は、前記ケース本体の底壁前端より前方に位置して陳列対象物の抜き出し空間を形成するとともに、最前部の陳列対象物の前面位置を規制するように略鉛直面内に位置する前面部と、この前面部の上端から上部後方に向けられて最前部の陳列対象物の下端位置を次の陳列対象物に対して下方に変位させる傾斜面部とを備た構成を採用することが好ましい。
【００１４】
また、前記前面部の下端は、前記底壁の上面位置と略等しいか、それより上方に位置する、という構成を採るとよい。
【００１５】
更に、前記ガイド部材の前後方向長さは、少なくとも最前部の陳列対象物の上部をカバーする長さに設けることが好ましい。
【００１６】
なお、本明細書における方向を示す用語は、特に明記しない限り、図１に示される陳列装置を同図中Ｘ方向から見た場合を基準として用いるものとする。ここで、「幅方向」は左右方向に対応し、「前」、「後」は、前記Ｘ方向に沿う手前側と、奥行き側にそれぞれ対応する。
【発明の効果】
【００１７】
本発明によれば、最前部に位置する陳列対象物を次に位置する陳列対象物に対して下方に変位させる構成としたことにより、陳列対象物を傾斜姿勢でケース本体内に収容しなくても、陳列対象物の下部を指先で摘むことのできる領域を十分に確保することが可能となり、陳列対象物を摘んだ状態で、下方への抜き出し操作性を向上させることができる。また、前後方向に整列される陳列対象物が略直立姿勢でケース本体内に収容される構成であるから、ケース本体への陳列対象物の収容個数を減らしてしまうという不都合を解消することができる。
【００１８】
また、ガイド部材の前面部は、略鉛直面内に位置する構成であるから、当該ガイド部材に人がぶつかることがあっても、陳列対象物が不用意に落下してしまう、という不都合も生じない。
【００１９】
更に、ガイド部材の前後方向長さが最前部の陳列対象物をカバーする長さに設けられていることで、当該陳列対象物の汚損や、埃の堆積を良好に回避することができる。
【発明を実施するための最良の形態】
【００２０】
以下、本発明の好ましい実施形態を図面を参照しながら説明する。
【００２１】
図１には、本実施形態に係る陳列装置の概略斜視図が示され、図２には、その前部側の一部を破断した概略斜視図が示されている。これらの図において、陳列装置１０は、陳列対象物としての商品Ｇを略直立した起立姿勢で前後方向に整列させて収容するケース本体１１と、このケース本体１１内に設けられるとともに、前記商品Ｇを前方に押圧する押圧部材１３と、ケース本体１１の前部側に設けられたガイド部材１５とを備えて構成されている。ケース本体１１は、例えば、タバコ等の略直方体形状を備えた商品Ｇを支持する底壁２０と、当該底壁２０の左右両側に連設された一対の側壁２１，２１と、これら底壁２０及び側壁２１の後部に位置する後壁２２とを備えて前部及び上方が開放する箱状に設けられている。底壁２０は、平面視で略長方形状の外形をなし、側壁２１，２１の下端は、底壁２０の下端よりも若干低い位置となるように形成されている。
【００２２】
前記底壁２０において、前記幅方向の略中央部には、当該底壁２０の前後方向に沿って延びるスロット穴２４が形成されている。スロット穴２４は、その後端が前記後壁２２よりも若干手前に位置する一方、前端は底壁２０の前端よりも若干後方に位置する長さに設定されている。底壁２０の前端中央部は、図３に示されるように、上面側に左右二つの段部２０Ａ，２０Ａが形成され、これら段部２０Ａ間の板厚が左右両側の板厚よりも薄く形成されて凹状をなすばね受け部２０Ｂとして形成されている。ばね受け部２０Ｂには、押圧部材１３の一部を構成するぜんまいばね２５の一端がねじ２６を介して固定されている。また、スロット穴２４の幅方向両側の形成縁は押圧部材１３を構成する後述のスライド部材等のガイドとして作用する領域となり、当該形成縁に沿う底壁２０の上面には、図７に示されるように、断面形状が略三角形形状となる山形隆起部２８が形成され、これにより、スライド部材の移動に伴う摩擦抵抗の軽減が図られるようになっている。
【００２３】
前記押圧部材１３は、スライド部材３０と、これに一体化されるスペーサブロック３１と、前記スライド部材３０に保持されるぜんまいばね２５とからなる。スライド部材３０は、図４に示されるように、スロット穴２４を幅方向に跨ぐ状態で前記底壁２０上に位置する平面部３３と、この平面部３３の前端から上方に延びる起立面部３４と、当該起立面部３４の後面と平面部３３との間に位置する側面視略三角形状の左右一対の補強面部３５，３５と、平面部３３の下面から下方に向けられて前記スロット２０の形成縁に係り合う左右一対の爪状部３６，３６（図７参照）とを備えて構成されている。前記左右一対の補強面部３５，３５は、それらの間にぜんまいばね２５のコイル部を保持する機能を備えており、当該コイル部より引き出されるぜんまいばね２５のリード端は、前記起立面部３４の中央部下端側に形成されたスリット３４Ａ（図４参照）を通って前記ばね受け部２０Ｂに固定されるようになっている。
【００２４】
前記スペーサブロック３１は、図５及び図６に示されるように、上下方向に貫通する角柱ブロックにより構成され、当該スペーサブロック３１は、前記起立面部３４の前面に、例えば、両面接着テープ等を介して貼付固定されている。このスペーサブロック３１はケース本体１１内に収容された商品Ｇが少なくなったときでも当該商品Ｇをガイド部材１５に押し付けて自然落下を防止するためのものであるが、スライド部材３０自体の形状を前後方向に長くすること等によって省略することもできる。なお、スペーサブロック３１の前面には、滑り防止シートＳが貼付されており、当該滑り防止シートＳによって最後部に位置する商品Ｇとの面方向に沿う相対滑りが防止される。
【００２５】
前記ガイド部材１５は、前記側壁２１の前方に連なる左右一対の側面部４０，４０と、これら側面部４０の前端間で略鉛直面内に位置するとともに、ケース本体１１における底壁２０前端との間で商品Ｇを下方に抜き出すための抜き出し空間Ｃを形成する前面部４１と、この前面部４１の上端から上部後方に向けられて最前部の商品Ｇ１（図５参照）の下端位置を次の商品Ｇ２に対して下方に変位させる傾斜面部４２と、この傾斜面部４２の後端から更に後方に略水平に延長する延長面部４３とにより構成されている。側面部４０は、ケース本体１１の側壁２１よりも上方に高く形成されており、その上部は、前記傾斜面部４２と延長面部４３に対応する形状に設けられている。また、側面部４０の前後方向最大長さＬ（図５参照）は、商品Ｇの一個の前後厚みよりも長く、且つ、商品Ｇを二個合わせたときの前後厚みよりも小さい寸法に設けられている。この長さは更に長く設定することを妨げない。また、前記傾斜面部４２の下端と上端との高さＨは、最前部に位置する商品Ｇ１が次に位置する商品Ｇ２に対して下方に変位するずれ量を決定する高さに対応する。本実施形態では、図５に示されるように、最前部の商品Ｇの下部前後両側を指先で十分に挟んで摘むことができる高さに設定されている。更に、前記前面部４１の下端は、前記底壁２０の上面高さ位置と略同一に設けられている。従って、図５から明らかなように、商品Ｇの下部前面側が後面側に対して指先で挟む領域高さが相対的に小さくなることはなく、これによって商品Ｇの抜き出し易さが確保されている。前面部４１の下端は、底壁２０の上面位置よりも更に上方位置となるように設定してもよい。
【００２６】
なお、前記陳列装置１０は、図示しないケース若しくは支持体を介して上下及び／又は左右に複数配置することができ、それぞれの陳列装置１０に商品Ｇを配置して利用することができるものである。
【００２７】
次に、本実施形態における陳列装置１０の使用方法について説明する。
【００２８】
商品Ｇがケース本体１１内に収容されていない状態では、前記スライド部材３０及びスペーサブロック３１は、ぜんまいばね２５がコイル状に縮まる力によって前方に位置した状態となる（図６参照）。従って、ケース本体１１内に商品Ｇを収容するときは、先ず、前記スライド部材３０及びスペーサブロック３１を後方に移動させることとなる。これにより、ぜんまいばね２５がコイル部から順次引き出されて帯状に延び、スペーサブロック３１の前方領域に商品Ｇを収容する空間が形成され、この空間内の底壁２０上に商品Ｇを載せて収容することができる。
【００２９】
スライド部材３０を後方に移動させている力を解除することにより、収容された商品Ｇは、スペーサブロック３１によって前方に押し出され、このとき、最前部に位置する商品Ｇ１は、前記傾斜面部４２の作用により下降し、次の商品Ｇ２に対して下方に変位した位置に保たれる。この際、最前部の商品Ｇ１は、ガイド部材１５の前面部４１の内面と次の商品Ｇ２との間で挟持力を受けるため、商品の自然落下は生じない。
【００３０】
商品Ｇ１を陳列装置１０から抜き出して取り出すときは、当該商品Ｇ１の下部前後両側を指先で挟むように摘んで下方に引き抜く操作を行えばよく、これにより、次の商品Ｇ２が、前面部４１に密着すると同時に、更に次の商品Ｇ３に対して下方に変位した状態に保たれることとなる。
【００３１】
従って、このような実施形態によれば、最前部に位置する商品Ｇ１を次の商品Ｇ２に対して下方に一定量変位させた状態に保つことができ、当該変位した領域を摘んで順次下方に抜き出して一つずつ商品Ｇを取り出すことができる。
【００３２】
本発明を実施するための最良の構成、方法などは、以上の記載で開示されているが、本発明は、これに限定されるものではない。
すなわち、本発明は、主に特定の実施の形態に関して特に図示し、且つ、説明されているが、本発明の技術的思想及び目的の範囲から逸脱することなく、以上に述べた実施の形態に対し、形状、位置、数量その他の詳細な構成において、当業者が様々な変形を加えることができるものである。
従って、上記に開示した形状、位置、数量などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００３３】
例えば、図８に示されるように、前面部４１の下部中央部に下向き略コ字状の前方切欠部５０を設ける構成、及び／又は、側面部４０，４０の各下部に下向き略Ｕ字状の側方切欠部５１，５１を設ける構成を採用することができる。前方切欠部５０を設けた場合には、商品Ｇを前後方向から摘んで抜き出す操作を一層容易に行うことができる。また、側方切欠部５１を設けた場合には、商品Ｇを左右両側から摘んで抜き出す操作も行うことができる。
【００３４】
また、前記実施形態における押圧部材１５は特に限定されるものではなく、商品Ｇを前方に移動させることができるものであれば足りる。また、前記陳列装置１０は、商品収容空間が一列である場合を図示説明したが、横方向に複数列を一体に配置した構成としてもよい。要するに、本発明は、最前部の商品が次の商品に対して一定量下方に変位して下方より商品を抜き出すことができる構成であれば足りる。
【図面の簡単な説明】
【００３５】
【図１】本実施形態に係る陳列装置の概略斜視図。
【図２】前記陳列装置の前部側の一部を破断した概略斜視図。
【図３】押圧部材を省略した状態を示す陳列装置の概略斜視図。
【図４】スペーサブロックを省略した状態を示す陳列装置の概略斜視図。
【図５】陳列対象物を多数収容した状態における陳列装置の中央縦断面図。
【図６】陳列対象物が一個となった状態における陳列装置の中央縦断面図。
【図７】図１のＡ−Ａ線に沿う矢視拡大断面図。
【図８】本発明の変形例を示す陳列装置の概略斜視図。
【符号の説明】
【００３６】
１０  陳列装置
１１  ケース本体
１３  押圧部材
１５  ガイド部材
２０  底壁
２１  側壁
４１  前面部
４２  傾斜面部
Ｃ  抜き出し空間
Ｇ  商品（陳列対象物）
【図１】
2006061570.tif 000003
【図２】
2006061570.tif 000004
【図３】
2006061570.tif 000005
【図４】
2006061570.tif 000006
【図５】
2006061570.tif 000007
【図６】
2006061570.tif 000008
【図７】
2006061570.tif 000009
【図８】
2006061570.tif 000010